(57)【要約】【課題】ステンレス等の金属表面に簡単に打刻模様を施す。【解決手段】筒状のケーシング６に設けたホルダ８に抜け止めされる状態で遊嵌状に貫通する複数のニードル１１をワークＷに押付け、この状態で圧縮空気を供給すると、該圧縮空気がケーシング６内に設けた閉塞状態のピストン８とケーシング６とのあいだに供給され、これによってケーシング６がピストン８に対して上側に衝撃的に相対移動して打撃力が発生し、これによってニードル１１がワークＷの表面に打刻模様が形成されることになる。【選択図】図２
2007289971.tif 000002
【特許請求の範囲】
【請求項１】
金属材から構成されるワーク表面に打刻模様を成形するための模様成形装置であって、該装置は、
筒状のケーシングと、
該ケーシング先端部に設けたホルダに抜け止めされる状態で遊嵌状に貫通する複数のニードルと、
前記ケーシングに移動自在に内嵌され、圧縮空気または電源の供給を受けてニードルを連続的に打撃する打撃体とを備え、
ニードル先端をワーク表面に押付けた状態で前記連続的に打撃されるニードルの先端によってワーク表面に打刻模様を成形するようにしたことを特徴とする金属表面の模様成形装置。
【請求項２】
ケーシング側に設けられ、ニードル先端部が広がるのを規制する広がり規制部材が設けられていることを特徴とする請求項１記載の金属表面の模様成形装置。
【請求項３】
ニードルは、同径に統一されていることを特徴とする請求項１または２記載の金属表面の模様成形装置。
【請求項４】
ニードルは、異径のものが混在していることを特徴とする請求項１または２記載の金属表面の模様成形装置。
【請求項５】
ニードル先端の押付け力は、打刻模様の周縁に金属の盛り上りが生じない力であることを特徴とする請求項１乃至４の何れか１記載の金属表面の模様成形装置。
【請求項６】
ニードル先端の押付け力は、ワークがステンレス鋼であってニードル直径が２〜３ｍｍである場合、５０Ｎ〜２００Ｎであることを特徴とする請求項１乃至５の何れか１記載の金属表面の模様成形装置。
【請求項７】
ケーシングは、手持ちタイプであることを特徴とする請求項１乃至６の何れか１記載の金属表面の模様成形装置。
【請求項８】
ケーシングは、基台に移動自在に設けられた卓上タイプであることを特徴とする請求項１乃至６の何れか１記載の金属表面の模様成形装置。
【請求項９】
ニードルは円柱状であり、ワーク表面に当たるニードル先端面は、半球面、緩凸球面、平面、一部面取りされた平面、凹弧溝面、四角錐面、凸弧四角錐面、幾何学模様面から選択される面であることを特徴とする請求項１乃至８の何れか１記載の金属表面の模様成形装置。
【請求項１０】
ニードル先端面は、磨き面、縞模様面から選択される面であることを特徴とする請求項１乃至９の何れか１記載の金属表面の模様成形装置。
【請求項１１】
ワークを、打刻されるワーク表面が膨出状に盛り上がらせるため盛り上がり手段が設けられていることを特徴とする請求項１乃至１０の何れか１記載の金属表面の模様成形装置。
【請求項１２】
金属材から構成されるワーク表面に打刻模様を成形するための模様成形方法であって、該方法は、筒状のケーシングに設けたホルダに抜け止めされる状態で遊嵌状に貫通する複数のニードルの先端をワーク表面に押付けた状態とし、圧縮空気または電源の供給を受けて作動する打撃体によってニードルを連続的に打撃することでワーク表面に打刻模様を成形するようにしたことを特徴とする金属表面の模様成形方法。
【請求項１３】
ワーク表面は円筒等の非平面であることを特徴とする請求項１２記載の金属表面の模様成形方法。
【請求項１４】
ワークは、打刻されるワーク表面が膨出状に盛り上がった状態で打刻するようにしたことを特徴とする請求項１２または１３記載の金属表面の模様成形方法。
【発明の詳細な説明】
【技術分野】
【０００１】
本発明は、ステンレス鋼、鉄、チタン、銅、真鍮、アルミニュウム等の各種の金属材表面の模様成形装置および模様成形方法の技術分野に属するものである。
【背景技術】
【０００２】
一般に、ステンレス鋼、鉄、チタン、銅、真鍮、アルミニウム等の各種金属の量産型表面仕上げの殆んどは、表面をバフで研磨した鏡面仕上げ、表面を一方向に研磨材（ヤスリ等）で研磨したヘアーライン仕上げ、回転している研磨材で表面を研磨したバイブレーション仕上げ、圧延ロールで表面に模様を施したロールエンボス仕上げ（例えば特許文献１）が知られている。
【特許文献１】特許第３４７９９０７号公報
【発明の開示】
【発明が解決しようとする課題】
【０００３】
ところでこのように金属材料の量産型表面仕上げは多様化しているが、一旦、表面に傷がつくと、これを補修するのは大変に難しいという問題がある。そしてロールエンボス仕上げのものにおいて傷を補修するには、同一模様の研磨ホイールを正確に位置合わせをした状態で同一力で転動させないと隣接する模様同志のあいだが不揃いになったり模様欠損部分が生じたりするだけでなく、模様の深さが変わってしまうという問題があるうえ、補修時に金属表面に研磨ホイールで模様を施すだけの力をかけるのはできないという問題もあり、補修は事実上できないものであった。
これに対し、前三者の仕上げ方法のものは補修ができるといわれているが、特殊技術を習得した熟練でないとできないという問題がある。つまり、研磨材を使用するヘアーライン仕上げとバイブレーション仕上げとは、研磨材による研磨方向を既存のものに一致させることに熟練を要して難しいという問題があり、また鏡面仕上げの場合、既存の鏡面は経時な変化をしているところもあるため、補修をしたところが異様に輝いたり、逆に輝きを失ったりしてしまうことになって同一の鏡面状態にすることが難しいだけでなく、これらの補修においては入り角のように狭くて仕上げが難しいところでは補修が事実上できないという問題がある。
これに対し、ハンマートーン仕上げがあるが、このものは１本のタガネをハンマーで打撃を与えて表面仕上げをしていくものであるため、小面積のものには適しているものの、大面積のものには時間と手間が掛かり、量産化には適していないという問題がある。
【課題を解決するための手段】
【０００４】
本発明は、上記の如き実情に鑑みこれらの課題を解決することを目的として創作されたものであって、請求項１の発明は、金属材から構成されるワーク表面に打刻模様を成形するための模様成形装置であって、該装置は、筒状のケーシングと、該ケーシング先端部に設けたホルダに抜け止めされる状態で遊嵌状に貫通する複数のニードルと、前記ケーシングに移動自在に内嵌され、圧縮空気または電源の供給を受けてニードルを連続的に打撃する打撃体とを備え、ニードル先端をワーク表面に押付けた状態で前記連続的に打撃されるニードルの先端によってワーク表面に打刻模様を成形するようにしたことを特徴とする金属表面の模様成形装置である。
請求項２の発明は、ケーシング側に設けられ、ニードル先端部が広がるのを規制する広がり規制部材が設けられていることを特徴とする請求項１記載の金属表面の模様成形装置である。
請求項３の発明は、ニードルは、同径に統一されていることを特徴とする請求項１または２記載の金属表面の模様成形装置である。
請求項４の発明は、ニードルは、異径のものが混在していることを特徴とする請求項１または２記載の金属表面の模様成形装置である。
請求項５の発明は、ニードル先端の押付け力は、打刻模様の周縁に金属の盛り上りが生じない力であることを特徴とする請求項１乃至４の何れか１記載の金属表面の模様成形装置である。
請求項６の発明は、ニードル先端の押付け力は、ワークがステンレス鋼であってニードル直径が２〜３ｍｍである場合、５０Ｎ〜２００Ｎであることを特徴とする請求項１乃至５の何れか１記載の金属表面の模様成形装置である。
請求項７の発明は、ケーシングは、手持ちタイプであることを特徴とする請求項１乃至６の何れか１記載の金属表面の模様成形装置である。
請求項８の発明は、ケーシングは、基台に移動自在に設けられた卓上タイプであることを特徴とする請求項１乃至６の何れか１記載の金属表面の模様成形装置である。
請求項９の発明は、ニードルは円柱状であり、ワーク表面に当たるニードル先端面は、半球面、緩凸球面、平面、一部面取りされた平面、凹弧溝面、四角錐面、凸弧四角錐面、幾何学模様面から選択される面であることを特徴とする請求項１乃至８の何れか１記載の金属表面の模様成形装置である。
請求項１０の発明は、ニードル先端面は、磨き面、縞模様面から選択される面であることを特徴とする請求項１乃至９の何れか１記載の金属表面の模様成形装置である。
請求項１１の発明は、ワークを、打刻されるワーク表面が膨出状に盛り上がらせるため盛り上がり手段が設けられていることを特徴とする請求項１乃至１０の何れか１記載の金属表面の模様成形装置である。
請求項１２の発明は、金属材から構成されるワーク表面に打刻模様を成形するための模様成形方法であって、該方法は、筒状のケーシングに設けたホルダに抜け止めされる状態で遊嵌状に貫通する複数のニードルの先端をワーク表面に押付けた状態とし、圧縮空気または電源の供給を受けて作動する打撃体によってニードルを連続的に打撃することでワーク表面に打刻模様を成形するようにしたことを特徴とする金属表面の模様成形方法である。
請求項１３の発明は、ワーク表面は円筒等の非平面であることを特徴とする請求項１２記載の金属表面の模様成形方法である。
請求項１４の発明は、ワークは、打刻されるワーク表面が膨出状に盛り上がった状態で打刻するようにしたことを特徴とする請求項１２または１３記載の金属表面の模様成形方法である。
【発明の効果】
【０００５】
請求項１または１２の発明とすることで、金属表面に打刻模様を連続的にしかも簡単に成形することができる。
請求項２の発明とすることで、円筒のような非平面形状のワーク表面に様々な打刻模様を容易に成形することができる。
請求項３または４の発明とすることで、打刻模様に変化を与えることができる。
請求項５または６の発明とすることで、打刻模様の周縁が盛り上がってバリ状のものが発生し、手触りの悪いものになってしまうことがない。
請求項７または８の発明とすることで、作業者がワークの既設現場に行っての打刻模様の形成作業や、工場内での打刻模様の形成作業が簡単にできることになる。
請求項９または１０の発明とすることで、様々な打刻模様を簡単に形成することができる。
請求項１１または１４の発明とすることで、ワークが薄板である場合に、打刻することでワーク表面側が延びて平滑性が損なわれ、撓んでしまうことを解消することができる。
請求項１３の発明とすることで、ワークの表面形状が平面でないものにも打刻形状が形成できることになる。
【発明を実施するための最良の形態】
【０００６】
本発明を実施するにあたり、打刻模様を刻設するワークとしては金属であり、このような金属としては、ステンレス、鉄、チタン、銅、真鍮、アルミニウム等の各種の金属を対象とすることができ、製品としては、鋼板、鋼管、帯鋼、Ｃ型鋼、Ｈ型鋼等の各種の鋼材、さらにはドア、建具、内外装パネル、天井パネル、屋根パネル、幕板、手摺り、ドアハンドル、蝶番、錠等の各種の建材および建築構築材料、またさらには、メイルボックス、銘板、ネームプレート、什器、流し台、風呂桶等の金属製品、家電製品、金属製食器、文具、バス・電車あるいは客船等の化粧パネルや手摺りに実施することができる。そしてこれらワークに打刻模様を施す場合、全体に設けることは勿論、部分的に設けることもでき、また既設現場に出ての補修やリメイクをすることもできる。また、打刻模様を施す模様成形装置は、駆動源を圧縮空気としたものや電動モータとしたものを採用することができる。
【０００７】
次ぎに、本発明の第一の実施の形態について具体的に図面に基づいて説明する。図中、１は卓上タイプ（連続成形タイプ）の模様成形装置であって、該模様成形装置１は、基板２に立設される基台３の上端部一側に上下移動自在に設けたブラケット４に取付けられている。前記ブラケット４は、基台３に設けたハンドル５の操作によって上下動するものであって、上下動する機構については、汎用の卓上ドリル等の金属や木材等を加工する装置と同様の上下動方式を採用しているので、その詳細については省略する。
【０００８】
前記ブラケット４は、本第一の実施の形態では略コ字形をし、下側片４ａには模様形成装置のケーシング６が上下方向摺動自在に貫通し、上側片４ｂにはケーシング６から突出した支持棒６ａが貫通し、該支持棒６ａの貫通上端部はナット６ｂによって下側への抜け止めが規制される状態で支持されている。そしてケーシング６は、ケーシング６の上面と上側片４ｂの下面とのあいだに介装した弾機７の付勢力を受けることで下側に向けて付勢されるようになっている。
【０００９】
ケーシング６内には、上側からピストン８、ハンマー９、ホルダ１０が順次配されているが、ピストン８およびハンマー９はケーシング６内を上下移動自在に、ホルダ１０はケーシング６の下端部に螺子嵌めすることで着脱自在な状態で一体的に取り付けられている。ホルダ１０は有天円筒状に形成され、天井部１０ａには下半部が小径で上半部が大径になった貫通孔１０ｂが複数穿設され、該貫通孔１０ｂに、頭部１１ａ付きのニードル１１が遊嵌状に貫通支持されている。つまりニードル１１は、長棒状の本体１１ｂが貫通孔１１ｂの小径部位よりも小径になっていて該小径部位に遊嵌状に貫通するが、頭部１１ａは貫通孔１０ｂの大径部位よりも小径であるが、小径部位よりは大径になっていて貫通孔１０ｂから抜け止めされるようになっている。因みに本実施の形態では、ニードル１１は図３（Ｄ）（Ｅ）に示すように小径のものと大径のもの（例えば直径２ｍｍと３ｍｍ）とが用意され、そして図３（Ａ）に示すように小径ニードル１１のみをセットするもの、同図（Ｂ）に示すように大小のニードル１１をセットするもの、同図（Ｃ）に示すように大径ニードル１１のみをセットするものが用意されているが、貫通孔１０ｂとしては、天井部１０ａの中心から多段の同心円位置に位置するように配設されている。また本実施の形態では、ピストン８とハンマー９によって本発明の打撃体を構成しているが、ピストンとハンマーが一体になった打撃体であっても本発明を実施することができる。
【００１０】
そして模様成形装置１は、図示しない操作レバー（操作スイッチ）を操作すると、配管Ｐを介して圧縮空気がケーシング６内に供給されるが、図２（Ａ）に示すように、ニードル１１の下端（先端）がワークＷの表面に接触していない状態では、ピストン８は自重で下動しており、この結果、供給された圧縮空気は、ピストン８に形成の通気孔８ａ、ハンマー９に形成の通気孔９ａ、そして貫通孔１０ｂを経由してケーシング６外に排出され、ピストン８は動くことがないが、図２（Ｂ）に示すようにニードル１１の下端をワークＷに押し当てた状態で模様成形装置１を下側に移動させると、ニードル１１が上動し、これに伴ってハンマー９、ピストン８が上動する。この状態では、ピストン通気孔８ａは閉止弁１２で塞がれており、この状態で圧縮空気をケーシング６内に供給すると、ピストン通気孔８ａからの空気排出が規制されるため、ピストン８は、ハンマー９、ニードル１１と共に下動しようとするが、ニードル１１の下端がワークＷに押し当てられているため、図２（Ｃ）に示すように、ケーシング６が弾機７の付勢力に抗して瞬間的に上動する相対移動をすることになり、そしてこのときの瞬間的な反発力が打撃力となってニードル１１の下端がワークＷの表面に点状の模様を打刻するようになっている。このようにケーシング６が上動する相対移動がなされると、ピストン通気孔８ａは閉止弁１２による閉塞が解除されて圧縮空気は外に逃げ、これによってケーシング６は弾機７の付勢力によって下動してピストン通気孔８ａが閉塞された状態（図２（Ｂ）の状態）になり、このようなケーシング６の相対的な上下移動の繰り返しによってワークＷの表面に連続的に打刻模様を刻設するようになっている。
そしてこの場合に、ニードル１１は貫通孔８ａに遊嵌状に貫通しているため、図２に示すように傾斜するものがあり、この傾斜したニードル１１の頭部１１ａは、図２（Ｄ）に示すように傾斜していないニードル１１の頭部１１ａよりも僅かではあるが高位置に位置し、この結果、強い打刻力を受けて深い打刻模様が形成され、このようになることでランダム模様になることが助長される。因みにこのようなことは、頭部１１ａの大きさ、ニードル１１の傾斜角度等によって様々に変化するものであり、場合によっては垂直のものの方が高位置に位置する場合もあり、このような様々な変化があることによって打刻模様のランダム化がさらに助長される。
【００１１】
因みに、打刻模様（打痕）の深さは、ニードル１１のワークＷに対する押付け力に左右され、これは弾機７の付勢力に関連する。そして弾機７の付勢力が強すぎると打刻模様（打痕）が深くなって穴周縁に金属が盛り上がってバリのようにざらざらになってしまい、手触りが悪くなる。また弾機７の付勢力が弱すぎる打刻模様が浅くなって模様としての見た目が悪くなり、このため、弾機７の付勢力を選択することが必要である。ここでいま、ワークＷがステンレスである場合、弾機７の付勢力を、前述したようにニードル直径が２〜３ｍｍである場合、５０Ｎ（ニュートン）〜２００Ｎであることが好ましく、特に１００Ｎ〜１５０Ｎの範囲がさらに好ましい。またニードルの本数としては、１０〜１００本程度であることが作業性の観点から好ましく、またニードルの長さとしては１００〜２５０ｍｍ程度が適当である。そしてニードル先端部は、焼入れする等して硬化処理が施されていることが好ましい。
【００１２】
また、本第一の実施の形態では、ワークＷが薄板である場合を説明している。ワークＷが薄板であると、前述したように模様成形装置１で表面（一面）のみに打刻模様を形成した場合、ワークＷは図１（Ｂ）に示すようにワークＷの表面側の延びによって撓んでしまう（反ってしまう）ことになる。そこでこの撓み変形を矯正（解消）するため、ワークＷを、模様が刻設される表面側が盛り上がり、裏面側が弧内になるよう変形させる矯正装置１３が設けられている。この矯正装置１３は、平薄板長尺状のワークＷの長手方向二箇所を長手方向に移動可能な状態で支持する支持体１４と、該支持体１４間に配せられ、正面視で山形状をした矯正台１５とを備えて構成されると共に、矯正装置１３は、ワークＷの幅方向に往復移動できるように設定されている。そして前述したように矯正台１５の上方に配した模様成形装置１でワークＷの表面に打刻模様を形成することになるが、その場合、例えば、ワークＷを幅方向一方に移動させることに基づいてワークＷ全幅に模様刻設をし、しかる後、模様刻設分だけワークＷを長手方向に移動させた状態でワークＷを幅方向他方に移動させながら模様刻設をし、さらにワークＷを長さ方向に移動させることを繰り返すことで、ニードル１１の配設範囲を越えた幅広のワークＷについて連続的な模様刻設ができるようになっている。
【００１３】
叙述の如く構成された本発明の実施の形態において、前述したようにニードル１１の先端をワークＷに押圧状に当てがった状態で圧縮空気を供給すると、ピストン通気孔８ａの開閉に連繋してケーシング６が相対的な上下移動をし、そしてケーシング６がワークＷから離間する方向に移動するときの反発力が打撃力となってワークＷの表面に打刻模様が刻設されることになる。この結果、金属表面に対する打刻模様の形成が簡単にできることになる。
【００１４】
この場合、ニードル１１は、ホルダ１０に遊嵌状に貫通しているため、前記打刻している際に、図２（Ｂ）（Ｃ）に示すように傾斜した状態になるものがあり、このように傾斜したものがあることによって打刻模様の深さ、大きさ、位置、角度、形状等に変化が随時発生し、ランダム模様となって形成される。さらにニードル１１を異径のものを採用した場合には、打刻模様の深さ、大きさ、位置、角度、形状等にさらなる変化を与えることになる。また、表面に傷つく等して補修する際に、既存のものと補修したものとのあいだに差異が発生して目立ってしまうようなことを回避できる。
【００１５】
そしてこのように形成された打刻模様は、穴の周囲に金属が盛り上がってバリ状にならないような打撃力で模様刻設をするように配慮されているため、手で触った場合に引っ掛かるようなざらざら感がなく、感触の良いものになる。因みに、刻設された穴模様の穴周囲にバリにならない程度に金属が盛り上がったものは、手が引っ掛かるようなこともなく感触が損なわれることが無い。またさらに、ワークＷが薄板である場合にあっては、ワークＷの延びによって撓んでしまうことを矯正する強制装置１３が設けられているため、撓みが矯正された状態で模様刻設ができることになる。
【００１６】
因みに、ワークＷの表面に施す打刻模様は、ニードル１１の太さだけでなく、先端形状を種々選択することで様々な打刻模様にすることができる。そしてこのような先端形状については、図４（Ａ）〜（Ｉ）に示すようなものを例示することができる。図４（Ａ）〜（Ｉ）のものは、ニードル１１の先端面を、半球面、緩凸球面、平面、一部面取りされた平面、凹弧溝面、四角錐面、凸弧四角錐面、ランダム溝面、凹凸波状面としたもので、かつこれら先端面が磨き面となったものと、これらの先端面で形成した打刻模様が図示されている。そして図５（Ａ）（Ｂ）のものは、ニードル先端面を半球面にした場合に形成された打刻模様の図面代用写真図、またその拡大写真である。また図６（Ａ）〜（Ｉ）のものは、前記図４（Ａ）〜（Ｉ）のニードル先端面について、さらに凹凸縞模様を施したものと、これを用いて成形した打刻模様を図示している。このように、ニードル４の先端面の形状、表面仕上げを選択することで、種々の打刻模様とすることができる。そしてこのように施された打刻模様は前述したようにランダムなこともあって、指で触った場合に表面に付く指紋の目立ちが殆んどないものにできる。
【００１７】
そして本発明においては、ワークＷの表面への打刻模様の刻設をするための模様成形装置としては、前述した第一の実施の形態のように卓上式でなく、図７、８に示すように、既存のところの現場持込が可能な手持ちタイプの模様成形装置１６とすることができる。そして模様成形装置１６を手持ちタイプとした場合、手で持ってワークＷに押付ける力が、卓上タイプの弾機７による押付け力に代わることになるが、卓上タイプのようにワークＷ表面に対して垂直姿勢に維持して打刻することが難しく、傾斜姿勢になってしまうことがある。そしてこのように傾斜姿勢になると、後述する図１０（Ｃ）の円筒表面に打刻模様を施す場合のように、ニードル１１が滑る状態で大きく曲がって打刻模様の形成が妨げられることがある。そこでこのものでは、ケーシング６からワークＷ側に延出する状態で、ニードル１１が広がりすぎるのを規制する広がり規制部材１７を設け、ワークＷに対して傾斜姿勢で押し当てたときに、ニードル１１が大きく曲がってしまうことを回避し、良好な打刻模様が形成されるように配慮されている。
【００１８】
さらに本発明の模様成形装置１、１６による打刻模様の刻設は、平面に限らず、図９、１０に示すように円筒（円柱）のものの表面や図１１に示すＶ溝面のような非平面にも施すことができる。例えば円筒表面に打刻模様を施すた場合、前述した広がり規制部材１７があることが好ましく、これがないと、図１０（Ｃ）に示すようにニードル１１がワークＷの円筒表面を滑って広がる状態となって好ましい打刻模様を施すことができないが、広がり規制部材１７を取付けた場合には、図１０（Ｂ）のようにニードル１１の広がりすぎが規制された状態になって良好な打刻模様の刻設ができる。また、図１１に示すようにＶ溝面に打刻模様を施す場合には、ニードル１１が溝底面に収束（収斂）する状態になるため、広がり規制部材１７を取付ける必要は必ずしも無い。
【図面の簡単な説明】
【００１９】
【図１】広がり規制部材を取り付けたものであって、（Ａ）は卓上式の模様形成装置の斜視図、（Ｂ）は手持ちタイプの模様成形装置で薄板に模様を打刻したときに反ってしまったときの状態を示す説明斜視図である。
【図２】広がり規制部材のないものであって、（Ａ）はワークにニードルを押付ける前の状態を示す卓上タイプの模様形成装置の一部切欠き正面図、（Ｂ）はワークにニードルを押付けときの状態を示す卓上タイプの模様形成装置の一部切欠き正面図、（Ｃ）はケーシングが相対移動して打刻しているときの状態を示す卓上タイプの模様形成装置の一部切欠き正面図、（Ｄ）は一部のニードルが傾斜している状態のニードル頭部の拡大正面図である。
【図３】（Ａ）〜（Ｃ）は三種類のホルダの斜視図、（Ｄ）（Ｅ）は二種類のニードルの斜視図である。
【図４】（Ａ）〜（Ｉ）は、平滑面のニードル先端面の形状の拡大斜視図とこれを用いることで施される模様図である。
【図５】（Ａ）は先端が平滑半球状のニードルを用いて模様が打刻されたステンレス板表面の図面代用写真、（Ｂ）はその部分拡大写真である。
【図６】（Ａ）〜（Ｉ）は、縞模様の凹凸があるニードル先端面の形状の拡大斜視図とこれを用いることで施される模様図である。
【図７】手持ちタイプの模様形成装置を用いて薄平板に模様を刻設している状態を示す斜視図である。
【図８】（Ａ）は手持ちタイプの模様形成装置をワークに押付ける前の状態を示す一部切欠き正面図、（Ｂ）は手持ちタイプの模様形成装置を用いて模様を打刻している状態を示す作用説明図である。
【図９】卓上タイプの模様形成装置を用いて円筒体に模様を打刻する状態を示す斜視図である。
【図１０】（Ａ）は広がり規制部材が取り付けられた模様形成装置を円筒体に押付ける前の状態を示す一部切欠き正面図、（Ｂ）は広がり規制部材が取り付けられた模様形成装置を円筒体に押付けた状態を示す一部切欠き正面図、（Ｃ）は広がり規制部材のない模様形成装置を円筒体に押付けるた状態を示す一部切欠き正面図である。
【図１１】（Ａ）（Ｂ）はＶ溝ワークの溝底部に模様を刻設している状態を示す正面図、側面図である。
【符号の説明】
【００２０】
１    卓上タイプの模様形成装置
６    ケーシング
７    弾機
８    ピストン
９    ハンマー
１０    ホルダ
１０ｂ  貫通孔
１１    ニードル
１３    矯正装置
１６    手持ちタイプの模様形成装置
１７    広がり規制部材
Ｗ    ワーク
【図１】
2007289971.tif 000003
【図２】
2007289971.tif 000004
【図３】
2007289971.tif 000005
【図７】
2007289971.tif 000006
【図８】
2007289971.tif 000007
【図９】
2007289971.tif 000008
【図１０】
2007289971.tif 000009
【図１１】
2007289971.tif 000010
【図４】
2007289971.tif 000011
【図５】
2007289971.tif 000012
【図６】
2007289971.tif 000013